【手続補正書】
【提出日】平成20年8月5日(2008.8.5)
【手続補正１】
【補正対象書類名】明細書
【補正対象項目名】特許請求の範囲
【補正方法】変更
【補正の内容】
【特許請求の範囲】
【請求項１】  医療データを内部記憶媒体に保存する手段と、前記医療データを外部記憶媒体に保存する手段と、保存した前記医療データの保存期限を設定する手段と、保存した前記医療データの保存期限を延長する手段と、保存期限内の前記医療データの削除を防止する手段を有する医療データ保存装置を用いた医療データ保存方法において、保存期限が規定されている前記医療データに、あらかじめ医療データ種別に応じて設定した保存期限を、付加することを特徴とする医療データ保存方法。
【請求項２】  前記医療データは、保存する時点で、前記内部記憶媒体に保存するとともに保存期限を設定し、医師が患者に対する診療が終わったと判断した時点で、前記内部記憶媒体に保存されている前記患者の医療データを前記外部記憶媒体に移動し、前記医療データの保存期限を、あらかじめ医療データ種別に応じて設定した保存期限に延長することを特徴とする請求項１記載の医療データ保存方法。
【請求項３】  医療データを内部記憶媒体に保存する手段と、前記医療データを外部記憶媒体に保存する手段と、保存した前記医療データの保存期限を設定する手段と、保存した前記医療データの保存期限を延長する手段と、保存期限内の前記医療データの削除を防止する手段を有する医療データ保存装置において、保存期限が規定されている前記医療データに、あらかじめ医療データ種別に応じて設定した保存期限を、付加する手段を有することを特徴とする医療データ保存装置。
【請求項４】  前記医療データは、保存する時点で、前記内部記憶媒体に保存し、前記医療データの保存期限を設定し、医師が患者に対する診療が終わったと判断した時点で、前記内部記憶媒体に保存されている前記患者の医療データを前記外部記憶媒体に移動し、前記医療データの保存期限を、あらかじめ医療データ種別に応じて設定した保存期限に延長する手段を有することを特徴とする請求項３記載の医療データ保存装置。
【請求項５】  前記外部記憶媒体に移動する前記医療データの保存期限に応じて、管理者があらかじめ設定した範囲に含まれる期限期日の前記医療データを前記外部記憶媒体に保存し、該外部記憶媒体に保存されているすべての医療データに設定されている保存期限が保存期限期日を経過した時点で、前記外部記憶媒体が保存期限期日に達したことを前記管理者に通知することを特徴とする請求項４記載の医療データ保存装置。
【請求項６】  前記請求項１または２記載の医療データ保存方法をコンピュータに実行させるプログラムを格納したことを特徴とするコンピュータ読み取り可能な記憶媒体。
【手続補正２】
【補正対象書類名】明細書
【補正対象項目名】０００１
【補正方法】変更
【補正の内容】
【０００１】
【発明の属する技術分野】
本発明は、医療データ保存方法、医療データ保存装置、及び医療データ保存方法をコンピュータに実行させるプログラムを格納したコンピュータ読み取り可能な記憶媒体に関し、特に、病院等における保存期限の設定された検査データ等診療諸記録及び診療録等の保健医療データ保存時に、操作者が保存期限を意識せずに迅速なデータ入力を実現できる、医療データ保存方法、医療データ保存装置、及び前記医療データ保存方法をコンピュータに実行させるプログラムを格納したコンピュータ読み取り可能な記憶媒体に関する。
【手続補正３】
【補正対象書類名】明細書
【補正対象項目名】０００７
【補正方法】変更
【補正の内容】
【０００７】
【課題を解決するための手段】
請求項１の発明は、医療データを内部記憶媒体に保存する手段と、前記医療データを可能な外部記憶媒体に保存する手段と、保存した前記医療データの保存期限を設定する手段と、保存した前記医療データの保存期限を延長する手段と、保存期限内の前記医療データの削除を防止する手段を有する医療データ保存装置を用いた医療データ保存方法において、保存期限が規定されている前記医療データに、あらかじめ医療データ種別に応じて設定した保存期限を、付加することを特徴とする。
【手続補正４】
【補正対象書類名】明細書
【補正対象項目名】０００８
【補正方法】変更
【補正の内容】
【０００８】
請求項２の発明は、請求項１記載の医療データ保存方法において、前記医療データは、保存する時点で、前記内部記憶媒体に保存するとともに保存期限を設定し、医師が患者に対する診療が終わったと判断した時点で、前記内部記憶媒体に保存されている前記患者の医療データを前記外部記憶媒体に移動し、前記医療データの保存期限を、あらかじめ医療データ種別に応じて設定した保存期限に延長することを特徴とする。
【手続補正５】
【補正対象書類名】明細書
【補正対象項目名】０００９
【補正方法】変更
【補正の内容】
【０００９】
請求項３の発明は、医療データを内部記憶媒体に保存する手段と、前記医療データを外部記憶媒体に保存する手段と、保存した前記医療データの保存期限を設定する手段と、保存した前記医療データの保存期限を延長する手段と、保存期限内の前記医療データの削除を防止する手段を有する医療データ保存装置において、保存期限が規定されている前記医療データに、あらかじめ医療データ種別に応じて設定した保存期限を、付加する手段を有することを特徴とする。
【手続補正６】
【補正対象書類名】明細書
【補正対象項目名】００１０
【補正方法】変更
【補正の内容】
【００１０】
請求項４の発明は、請求項３記載の医療データ保存装置において、前記医療データは、保存する時点で、前記内部記憶媒体に保存し、前記医療データの保存期限を設定し、医師が患者に対する診療が終わったと判断した時点で、前記内部記憶媒体に保存されている前記患者の医療データを前記外部記憶媒体に移動し、前記医療データの保存期限を、あらかじめ医療データ種別に応じて設定した保存期限に延長する手段を有することを特徴とする。
【手続補正７】
【補正対象書類名】明細書
【補正対象項目名】００１１
【補正方法】変更
【補正の内容】
【００１１】
請求項５の発明は、請求項４記載の医療データ保存装置において、前記外部記憶媒体に移動する前記医療データの保存期限に応じて、管理者があらかじめ設定した範囲に含まれる期限期日の前記医療データを前記外部記憶媒体に保存し、該外部記憶媒体に保存されているすべての医療データに設定されている保存期限が保存期限期日を経過した時点で、前記外部記憶媒体が保存期限期日に達したことを前記管理者に通知することを特徴とする。
【手続補正８】
【補正対象書類名】明細書
【補正対象項目名】００１９
【補正方法】変更
【補正の内容】
【００１９】
【発明の効果】
請求項１，３の医療データ保存方法及び医療データ保存装置においては、あらかじめ検査データ等診療諸記録及び診療録等の保健医療データに対する保存期限を設定し、データ取得の際に保存期限を設定しているので、操作者が保存期限を意識せずに迅速な保存を行うことができる。
【手続補正９】
【補正対象書類名】明細書
【補正対象項目名】００２０
【補正方法】変更
【補正の内容】
【００２０】
請求項２、４の医療データ保存方法及び医療データ保存装置においては、患者の診療が終わったという医師の判断により、検査データ等診療諸記録及び診療録等の保健医療データを外部記憶媒体に移動し保存期限を延長しているので、外部記憶媒体からのデータ読み込みが頻繁に起こらない保存を行うことができる。また、保存期限の設定あるいは修正の際、誤った入力操作を行う恐れがなく、確実な保存を行うことができる。
【手続補正１０】
【補正対象書類名】明細書
【補正対象項目名】００２１
【補正方法】変更
【補正の内容】
【００２１】
（３）請求項５の医療データ保存装置においては、外部記憶媒体に保存されているすべての医療データの保存期限が経過した時点で、操作者にその旨通知するので、外部記憶媒体を不注意により廃棄する事故を防止することができ、確実な保存を行うことができる。